(57)【特許請求の範囲】
【請求項１】
ハウスの外部に開口し、かつ吸気又は排気用となる一方の開口と、また、ハウスの壁面に位置し、かつ排気又は吸気用の他方の開口とを備えた換気扇用のカバーと、このカバーの他方の開口に設けた少なくとも複数枚のシャッタープレート及びシャッター枠でなるシャッターと、このシャッターに設けたファンと、このファン用のモータを備えた換気扇において、
このカバーの他方の開口に突出するようにしてシャッターの移動を可能とする移動手段を設け、この移動手段の先端側で前記シャッターを回転した際に、このシャッターのシャッター枠が、前記少なくともカバーに衝止せずに回転可能とした換気扇の構造であって、
前記移動手段を、前記換気扇取付外枠の上下枠に、ハウスの内方に突設した第一の上下側ブラケットと、この第一の上下側ブラケットに枢支した第二の上下側ブラケットで構成し、
この第二の上下側ブラケットを、第一の上下側ブラケットより突出可能とするとともに、また第二の上下側ブラケットを、第一の上下側ブラケットに重畳可能とし、この第二の上下側ブラケットの先端側に、前記シャッターのシャッター枠を止め具を介して枢支し、前記第二の上下側ブラケットの突出状態で、前記シャッターのシャッター枠を回転可能としたことを特徴とする換気扇の構造。
【発明の詳細な説明】
【技術分野】
【０００１】
本発明は、吸気及び／又は排気用として利用できる換気扇の構造であって、所定の位置におけるシャッターの回転を利用して吸気用の換気扇、又は排気用の換気扇として利用可能なマルチ型の換気扇の構造に関する。
【背景技術】
【０００２】
従来、この種の換気扇は、吸気用と、排気用に区別され、建屋の換気扇取付外枠に固止される構成であった。従って、ハウス（建屋）内の温湿度管理を、例えば、ハウス内の作物の育苗、生長、摘採等の各種の生育状況、又は作物の種類、また土壌及び／又は気候等の他の生育条件等によって、最適な状況にするには必ずしも十分とは云えないこと、また農作物の収穫の増大と、高品質の農作物を生育するには、改良の余地が考えられること等の問題点を抱えている。
【０００３】
この問題点を改良するために、一基の換気扇であっても、その吸込（吸気）及び／又は吹出（排気）方向を適宜変更できる構成を採用すれば、ハウス内の温湿度管理をかなり精緻に行い得ることと、この一基の換気扇による吸込及び／又は吹出方向への変更は、従来の構造に変更を加えることで、可能であること等を知見したので、ここに、本願発明を提案する。
【０００４】
この本願発明は、シャッター枠を、換気扇取付外枠に複数本突設したスライドレールに移動可能、かつ回転可能に設ける構成とすることで、このシャッター枠を回転しても、このシャッター枠が換気扇のカバーに衝突しない構成とし、当該換気扇のシャッターの方向（吸気「吸込」方向／排気方向）を変更可能とする。この変更を介して一台の換気扇を吸気用の換気扇と、排気用の換気扇に選択できる構成を提案する。そして、この選択できる換気扇を利用して、ハウス内の温度及び／又は湿度を選択的に変更可能とする構造である。
【０００５】
そして、この提案を踏まえて従来技術を検索したので、その一例を説明する。以下、文献（１）〜文献（３）とする。この文献（１）は特開２００３−２９４２８２の「換気扇」であって、一つのファンの回転方向を切替スイッチで切替えることにより、屋内の空気を屋外へ排出する排気運転と、屋外の空気を屋内へ取り入れる吸気運転を選択できる換気扇であり、この発明は、マイナスイオン発生装置を備え、該マイナスイオン発生装置を換気扇の吸気時に動作させるようにしたことを特徴とする。また文献（２）は特開２００３−２７８２２１の「トイレ用送風換気扇」であって、トイレ用送風換気扇において、送風手段からの送風方向を屋外又は室内に切替えるための手段として回転駆動可能な切替ダンパーを内蔵する構成であり、この発明は、夏場の暑い時期の冷却と、冬場の寒い時期の換気暖房を図り、快適なトイレの使用を可能とすることにある。そして、また文献（３）は特開平９−１５１８９５号の「換気扇」であって、建物の開口部に取付けられる換気扇の円環状の枠体と、枠体の周方向に移動可能に支持し、開口部に取付けられる支持手段と、前記枠体を周方向に移動させる駆動手段とを備え、枠体が回転することで該枠体の羽根体が一体に回転する構成であり、この発明は、従来のように羽根体の回転領域内に駆動手段はなく、空気の移動を妨げるものがないので、極めて効率良く送風することにある。
【０００６】
【特許文献１】特開２００３−２９４２８２
【特許文献２】特開２００３−２７８２２１
【特許文献３】特開平９−１５１８９５号
【発明の開示】
【発明が解決しようとする課題】
【０００７】
前記文献（１）、（２）は室内外方向への空気の吸気及び／又は排気を目的とする構成であるが、文献（１）はモータの回転方向の切替えによる構成であり、また文献（２）は回転駆動可能な切替ダンパーによる構成であり、何れも装置内への信号と、その機構に他の作用を付加することで、目的を達成することを意図する。従って、有効ではあるが、従来装置の有効利用が図れないこと、そして、これに付随して、資材及び／又は工場設備等の活用性と、省資源化及び／又は省力化、並びに作業段取り・効率の向上化等の面で改良の余地が考えられる。
【０００８】
また文献（３）は、支持部材に換気扇の枠体（換気扇枠体）を回転可能に設けることで、この枠体と羽根体を一体に回転する構成である。従って、この発明は、建屋に換気扇枠体が回転可能であるが、本発明が意図する室内外方向への空気の吸気及び／又は排気をすることはできない。
【０００９】
上記に鑑み本願発明は、シャッター枠を、換気扇取付外枠に複数本突設したスライドレールに移動可能、かつ回転可能に設け、このシャッター枠を回転しても、このシャッター枠が換気扇のカバーに衝突しない構成とすることで、当該換気扇のシャッターの方向（吸気方向／排気方向）を変更可能とする。この変更を介して一台の換気扇を吸気用の換気扇と、排気用の換気扇に選択できる構成を提案して、ハウス内の温度及び／又は湿度を選択的に変更可能とする構造である。
【課題を解決するための手段】
【００１０】
【００１１】
【００１２】
【００１３】
【００１４】
【００１５】
【００１６】
【００１７】
【００１８】
【００１９】
【００２０】
【００２１】
【００２２】
請求項１の発明は、ハウス内の温度（湿度）管理を、従来の設備の有効活用と、シャッターの方向転換を利用して簡易かつ確実に行うこと、必要時には既設のシャッターにも僅かな工夫で設置可能とすること等を意図する。そして、この請求項１では、この構成を採用してもハウスにおける略全ての動作及び／又は機械の移動等の農作業に必要とする所作を図ること、経済性のメリットを図ること、又は故障の心配が皆無なシャッターの開口方向を、可変可能とした換気扇の構造を提供すること等を意図する、及び、この目的の達成に最適な換気扇、及び、第一・第二の上下側ブラケットとシャッター枠の構造を提案することを意図する。
【００２３】
請求項１は、ハウスの外部に開口し、かつ吸気又は排気用となる一方の開口と、また、ハウスの壁面に位置し、かつ排気又は吸気用の他方の開口とを備えた換気扇用のカバーと、このカバーの他方の開口に設けた少なくとも複数枚のシャッタープレート及びシャッター枠でなるシャッターと、このシャッターに設けたファンと、このファン用のモータを備えた換気扇において、
このカバーの他方の開口に突出するようにしてシャッターの移動を可能とする移動手段を設け、この移動手段の先端側で前記シャッターを回転した際に、このシャッターのシャッター枠が、前記少なくともカバーに衝止せずに回転可能とした換気扇の構造であって、
前記移動手段を、前記換気扇取付外枠の上下枠に、ハウスの内方に突設した第一の上下側ブラケットと、この第一の上下側ブラケットに枢支した第二の上下側ブラケットで構成し、
この第二の上下側ブラケットを、第一の上下側ブラケットより突出可能とするとともに、また第二の上下側ブラケットを、第一の上下側ブラケットに重畳可能とし、この第二の上下側ブラケットの先端側に、前記シャッターのシャッター枠を止め具を介して枢支し、前記第二の上下側ブラケットの突出状態で、前記シャッターのシャッター枠を回転可能としたことを特徴とする換気扇の構造である。
【発明の効果】
【００２４】
【００２５】
【００２６】
【００２７】
【００２８】
【００２９】
【００３０】
【００３１】
【００３２】
【００３３】
【００３４】
【００３５】
【００３６】
請求項１の発明は、ハウスの外部に開口し、かつ吸気又は排気用となる一方の開口と、また、ハウスの壁面に位置し、かつ排気又は吸気用の他方の開口とを備えた換気扇用のカバーと、カバーの他方の開口に設けた少なくとも複数枚のシャッタープレート及びシャッター枠でなるシャッターと、シャッターに設けたファンと、ファン用のモータを備えた換気扇において、カバーの他方の開口に突出するようにしてシャッターの移動を可能とする移動手段を設け、移動手段の先端側でシャッターを回転した際に、シャッターのシャッター枠が、少なくともカバーに衝止せずに回転可能とした換気扇の構造であって、移動手段を、換気扇取付外枠の上下枠に、ハウスの内方に突設した第一の上下側ブラケットと、第一の上下側ブラケットに枢支した第二の上下側ブラケットで構成し、第二の上下側ブラケットを、第一の上下側ブラケットより突出可能とするとともに、また第二の上下側ブラケットを、第一の上下側ブラケットに重畳可能とし、第二の上下側ブラケットの先端側に、シャッターのシャッター枠を止め具を介して枢支し、第二の上下側ブラケットの突出状態で、シャッターのシャッター枠を回転可能としたことを特徴とする換気扇の構造である。
【００３７】
従って、請求項１は、ハウス内の温度（湿度）管理を、従来の設備の有効活用と、シャッターの方向転換を利用して簡易かつ確実に行えること、必要時には既設のシャッターにも僅かな工夫で設置可能となること等の特徴がある。そして、この請求項１では、この構成を採用してもハウスにおける略全ての動作及び／又は機械の移動等の農作業に必要とする所作が図れること、経済性のメリットがあること、又は故障の心配が皆無なシャッターの開口方向を、可変可能とした換気扇の構造を提供できること等の特徴がある、及び、この目的の達成に最適な換気扇、及び、第一・第二の上下側ブラケットとシャッター枠の構造を提案できること等の特徴がある。
【発明を実施するための最良の形態】
【００３８】
本発明の一例を説明する。
以下、本発明の図面の説明をする。図１〜図５は従来の換気扇のカバーに改良したシャッターを装着した第一の実施例であり、図１は換気扇の吸気状態を側面視した断面模式図、図２は換気扇の排気状態を側面視した断面模式図、図３は、スライドレール及び／又はガイドレールとシャッターの取付関係を説明する要部の拡大側面模式図、図４は、スライドレール及び／又はガイドレールとシャッターの取付関係を説明する要部の拡大正面模式図、図５は、スライドレールとシャッターの取付関係を説明する要部の拡大平面模式図、図６〜図１１は第二の実施例であり、第一の実施例の別の例であり、図６は換気扇の吸気状態を側面視した断面模式図、図７は換気扇の吸気状態を平面視した断面模式図、図８は吸気状態を正面視した模式図、また図９は換気扇の排気状態を側面視した断面模式図、図１０は排気状態を平面視した断面模式図、図１１は排気状態を正面視した模式図、図１２、図１３は第三の実施例であり、第一の実施例のさらに別の例であり、図１２は換気扇の吸気状態を側面視した断面模式図、図１３は換気扇の排気状態を側面視した断面模式図である。
【００３９】
図１〜図５に示す第一の実施例において、１は換気扇のカバーであり、このカバー１はハウスＡの換気扇取付外枠２に設けられる他方の開口１ｂと、ハウスＡの壁側Ａ２に位置し、外部に開口する一方の開口１ａを有する。この換気扇取付外枠２の左右上枠２０、２０（以下、単独の番号で表示する。以下省略）にはスライドレール３が、またその左右下枠２１にはガイドレール３０がそれぞれ設けられており、このスライドレール３にはベアリング７を介してシャッターのシャッター枠４を支持する移動体６が移動自在に設けられている。次にシャッター枠４とスライドレール３及び／又はガイドレール３０の支持関係を説明すると、この移動体６には止め具８を軸支し、この止め具８を前記シャッター枠４の上枠４０の内側に枢着する。またガイドレール３０には止め具８０を軸支し、この止め具８０は前記シャッター枠４の下枠４１に枢着する。従って、移動体６をスライドレール３に沿ってハウスＡの内側Ａ１に移動すると、このシャッター枠４がこの内側Ａ１に移動し、またこの移動体６の先端側がスライドレール３の先端側に位置するとともに、この移動時にシャッター枠４の下枠４１がガイドレール３０の先端側に位置する。即ち、スライドレール３は移動体６を確実にフォローするために、カイドレール３０の略倍の長さを有する。これにより、シャッター枠４を略水平状態で移動し、またハウスＡ内での作業及び／又は移動の安定性と、安全性を保障する。また、チャンネル形状のガイドレール３０とし、このガイドレール３０の凹部にシャッター枠４の下枠４１を挿入する構成でも可能である。図中１０はシャッター枠４に設けたシャッタープレート取付板で、このシャッタープレート取付板１０には複数枚のシャッタープレート１１が開閉自在に枢支されている。そして、このシャッタープレート１１はファン１２の回転で開放され、その回転停止で閉塞される。また１３はこのファン１２を駆動するモータである。また図示しないがシャッタープレート１１は静圧式もあり得る。尚、このシャッタープレート１１は連結板（図示せず）で同時に開閉することもできる。
【００４０】
以上のような構成において、換気扇の方向変換により、一方の開口１ａが吸気用として機能し、他方の開口１ｂが排気用として機能する例を示した図１においては、移動体６がスライドレール３の略中心より先端側（図面に向かって右側）に向かってあり、その略中心に止め具８がある状態で、かつシャッター枠４（シャッター枠４には、止め具８、８０又はファン１２及びモータ１３等が共に移動及び／又は停止する）の上枠４０が同位置にあるときは、このシャッター枠４の下枠４１及び／又は止め具８０はガイドレール３０の先端側に位置する。この状態では、シャッタープレート１１がハウスＡの内側Ａ１にあり、ファン１２及びモータ１３がハウスＡの壁側Ａ２に位置する。この状態では、一方の開口１ａが吸気側となり、また他方の開口１ｂが排気側となる。この状態において、ファン１２を回転することで、シャッタープレート１１が開放し、外気がハウスＡ内に導入される。この空気（風）の流れを矢印「イ」で示す。そして、この状態から、シャッター枠４を止め具８、８０を支点として回転し、同時にファン１２及びモータ１３を回転する。この回転の際に、シャッター枠４の先端側が少なくともカバー１に衝止することなくスムーズに回転でき（カバー１以外に衝止する例では、その手当てをする）、換気扇（シャッター枠４、止め具８、８０又はファン１２及びモータ１３等）は、反転され、前述の向きと逆になる。そこで、移動体６（又はシャッター等）を押し、この移動体６の略全体をスライドレール３内に挿入し、移動体６に設けた止め具８がスライドレール３の基端側（図面に向かって左側）に至らしめるとともに、このシャッター枠４の下枠４１（止め具８０）をガイドレール３０の基端側に至らしめると、シャッター枠４は、ちょうど、換気扇取付外枠２内に収まる。この状態は、図２に示す如く、シャッター枠４が他方の開口１ｂであって、換気扇取付外枠２と同じ線上に位置する。この状態では、ファン１２及びモータ１３がハウスＡの内側Ａ１にあり、シャッタープレート１１がハウスＡの壁側Ａ２の外側に位置する。この状態では、他方の開口１ｂが吸気側となり、また一方の開口１ａが排気側となる。従って、ファン１２を回転することで、シャッタープレート１１が開放し、ハウスＡ内の空気がハウスＡ外に排気される。この空気の流れを矢印「ロ」で示す。
【００４１】
以上の方法により、本装置では、簡単に誰でも、ハウスＡに設置した換気扇を吸気用と排気用に選択して使用でき、好ましい生育環境が確保できる。そして、この例では、シャッタープレート１１がハウスＡの内側Ａ１、又はハウスＡの壁側Ａ２の外側等に位置する場合でも、このシャッタープレート１１の状態は同じであり、空気の流れを下方向に誘導し、確実な外気の導入と、ハウスＡ内の換気が図れる。
【００４２】
尚、図６〜図１１に示す第二の実施例では、このスライドレール３及び／又はガイドレール３０に開設した長孔３００、３０００（以下、単独の番号「３００」で表示する。尚、ガイドレール３０は前述の例の如く、凹部では長孔３０００をなくすことも可能である）には、シャッター枠４に設けた止め具８、８０（以下、単独の番号「８」で表示する）の一方が挿入されており、またこの止め具８の他方はシャッター枠４の上下枠４０、４１に設けられている。このように、このシャッター枠４を支持する止め具８をスライドレール３の長孔３００等に挿入する構成であるので、このシャッター枠４は、この止め具８を介して、スライドレール３に移動可能及び／又は回転自在に取付けられている。そして、このスライドレール３及び／又はガイドレール３０とシャッター枠４との間には移動用及び／又は移転用として有効となる摺接防止用、又は従来のシャッター枠４の利用、また各部材の保守管理及び／又は取付け等の容易化等を図るために図示しないがクリアランスを形成することもあり得る。またこの長孔３００に挿入された止め具８の端部にはナット等の抜け防止部材（図示せず）を設け、止め具８及び／又はシャッター枠４の落下防止及び／又は回転を可能とする。また図示しないが、シャッター枠４を長孔３００等の両端側で固定できるための手段を設け、換気扇の可動時の移動及び／又は騒音等を防止するように構成されている。また止め具８をスライドレール３に設けるに際し、支持体を利用して設けることも可能である。他の構成は前述の例に準ずる。
【００４３】
以上のような構成において、換気扇の方向変換により、一方の開口１ａが吸気用として機能し、他方の開口１ｂが排気用として機能する例を示した図６〜８においては、スライドレール３の長孔３００の先端側に止め具８が位置し、かつシャッター枠４が同位置にある。従って、シャッタープレート１１がハウスＡの内側Ａ１にあり、ファン１２及びモータ１３がハウスＡの壁側Ａ２に位置する。この状態では、一方の開口１ａが吸気側となり、また他方の開口１ｂが排気側となる。従って、ファン１２を回転することで、シャッタープレート１１が開放し、外気がハウスＡ内に導入される。この空気（風）の流れを矢印「ハ」で示す。そして、この状態から、シャッター枠４を止め具８を支点として回転し、同時にファン１２及びモータ１３を回転する。この回転の際に、シャッター枠４の先端がカバー１に衝止することなくスムーズに回転でき、換気扇は、反転され、前述の向きと逆になる。そこで、換気扇を押し、シャッター枠４の止め具８を長孔３００に沿って移動し、その基端側に止め具８を至らしめる。そうすると、図９に示す如く、シャッター枠４が他方の開口１ｂであって、換気扇取付外枠２と同じ線上に位置する。この状態では、ファン１２及びモータ１３がハウスＡの内側Ａ１にあり、シャッタープレート１１がハウスＡの壁側Ａ２の外側に位置する。この状態では、他方の開口１ｂが吸気側となり、また一方の開口１ａが排気側となる。従って、ファン１２を回転することで、シャッタープレート１１が開放し、ハウスＡ内の空気がハウスＡ外に排気される。この空気の流れを矢印「ニ」で示す。
【００４４】
以上の方法により、本装置では、簡単に誰でも、ハウスＡに設置した換気扇を吸気用と排気用に選択して使用でき、好ましい生育環境が確保できること等は前述の例に準ずる。
【００４５】
そして、スライドレール３及び／又はガイドレール３０は、換気扇取付外枠２の上下枠２０、２１とシャッター枠４の上下枠４０、４１にそれぞれ設けられているが、一例であり、位置及び／又は本数などは限定されない。
【００４６】
尚、図１２、図１３に示す第三の実施例では、この換気扇取付外枠２に上下枠２０、２１の中心に第一の上下側ブラケット５０、５１を設け、この第一の上下側ブラケット５０、５１には第二の上下側ブラケット５２、５３が軸５４、５５を介して枢支される。この第二の上下側ブラケット５２、５３の先端側には止め具８ａ、８０ａによりシャッター枠４が枢支される。この構成では、第一の上下側ブラケット５０、５１に第二の上下側ブラケット５２、５３が重畳された図１２の状態では、第二の上下側ブラケット５２、５３に設けた止め具８ａ、８０ａ及び／又はシャッター枠４は、ちょうど、換気扇取付外枠２の軸線上にある。従って、シャッタープレート１１がハウスＡの内側Ａ１にあり、ファン１２及びモータ１３がハウスＡの壁側Ａ２に位置する。この状態では、一方の開口１ａが吸気側となり、また他方の開口１ｂが排気側となる。従って、ファン１２を回転することで、シャッタープレート１１が開放し、外気がハウスＡ内に導入される。この空気の流れを矢印「ホ」で示す。そして、シャッター枠４を支持する軸５４、５５を支点として、このシャッター枠４を回転することで、これに付随して第二の上下側ブラケット５２、５３が同時に回転する。この回転により、図１３に示す如く、第一の上下側ブラケット５０、５１の先端側に第二の上下側ブラケット５２、５３が突出する。これにより、この突出した第二の上下側ブラケット５２、５３の先端側に設けた止め具８ａ、８０ａを介してシャッター枠４が支持される。この状態では、ファン１２及びモータ１３がハウスＡの内側Ａ１にあり、シャッタープレート１１がハウスＡの壁側Ａ２の外側に位置する。この状態では、他方の開口１ｂが吸気側となり、また一方の開口１ａが排気側となる。従って、ファン１２を回転することで、シャッタープレート１１が開放し、ハウスＡ内の空気がハウスＡ外に排気される。この空気の流れを矢印「へ」で示す。
この第三の実施例においても、他の構成及び／又は特徴は、それぞれ前述の第一・第二の実施例に準ずる。
【００４７】
尚、前述した各実施例において、換気扇（シャッター枠４）の移動を、ワイヤー、歯車、リンク機構等の移動手段を利用して自動化し、また回転方法をモータ等の駆動手段を利用して自動化することも可能であり、簡便化と省力化等に寄与できる。また止め具８には滑車等の移動の容易化を図る手段を付加することも可能である。また以上は農事関係で説明したが、畜産関係、工場関係、又は家庭用関係でも採用できる構成であり、この他の例では汚染・熱気・悪臭等の解消に有効性がある。さらに図示しないが、換気扇（シャッター枠４）が内側Ａ１にあるときには、シャッターの側面側がビニール等で閉塞されていることは勿論である。
【図面の簡単な説明】
【００４８】
【図１】図１は第一の実施例の換気扇の吸気状態を側面視した断面模式図
【図２】図２は第一の実施例の換気扇の排気状態を側面視した断面模式図
【図３】図３は第一の実施例のスライドレール及び／又はガイドレールとシャッターの取付関係を説明する要部の拡大側面模式図
【図４】図４は第一の実施例のスライドレール及び／又はガイドレールとシャッターの取付関係を説明する要部の拡大正面模式図
【図５】図５は第一の実施例のスライドレールとシャッターの取付関係を説明する要部の拡大平面模式図
【図６】図６は第二の実施例の換気扇の吸気状態を側面視した断面模式図
【図７】図７は第二の実施例の換気扇の吸気状態を平面視した断面模式図
【図８】図８は第二の実施例の換気扇の吸気状態を正面視した模式図
【図９】図９は第二の実施例の換気扇の排気状態を側面視した断面模式図
【図１０】図１０は第二の実施例の換気扇の排気状態を平面視した模式図
【図１１】図１１は第二の実施例の換気扇の排気状態を正面視した模式図
【図１２】図１２は第三の実施例の換気扇の吸気状態を側面視した断面模式図
【図１３】図１３は第三の実施例の換気扇の排気状態を側面視した断面模式図
【符号の説明】
【００４９】
１  カバー
１ａ  一方の開口
１ｂ  他方の開口
２  換気扇取付外枠
２０  上枠
２１  下枠
３  スライドレール
３０  ガイドレール
３００  長孔
３０００  長孔
４  シャッター枠
４０  上枠
４１  下枠
６  移動体
７  ベアリング
８  止め具
８ａ  止め具
８０  止め具
８０ａ  止め具
１０  シャッタープレート取付板
１１  シャッタープレート
１２  ファン
１３  モータ
５０  第一の上側ブラケット
５１  第一の下側ブラケット
５２  第二の上側ブラケット
５３  第二の下側ブラケット
５４  軸
５５  軸
Ａ  ハウス
Ａ１  内側
Ａ２  壁側
【図１】
0004751167.tif 000002
【図２】
0004751167.tif 000003
【図３】
0004751167.tif 000004
【図４】
0004751167.tif 000005
【図５】
0004751167.tif 000006
【図６】
0004751167.tif 000007
【図７】
0004751167.tif 000008
【図８】
0004751167.tif 000009
【図９】
0004751167.tif 000010
【図１０】
0004751167.tif 000011
【図１１】
0004751167.tif 000012
【図１２】
0004751167.tif 000013
【図１３】
0004751167.tif 000014